【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
以下の構造を有する分子またはその塩であって、
【化１】
2019536860.tif 000001
式中、Ｒ１及びＲ２は同一であり、若しくは異なり、独立して、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ８であり、Ｒ８はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは環を形成し；またはＲ１若しくはＲ２のうちの少なくとも１つはヌクレオシド、ヌクレオチド、ポリヌクレオチド、ペプチド、ペプトイド、サッカライド、ポリサッカライド、アプタマー若しくは抗体、若しくはそのフラグメントを含み；
ＮからＸに配向されるＲ３はアルキル、ヘテロアルキル、アミノ置換アルキル、アミノ置換ヘテロアルキル、アミドアルキル、アミドヘテロアルキル、アミノ置換アミドヘテロアルキルであり、アルキル、ヘテロアルキル、アミノ置換アルキル、アミノ置換ヘテロアルキル、アミドアルキル、アミドヘテロアルキル、若しくはアミノ置換アミドヘテロアルキルとそれぞれ任意選択で置換され；またはＲ３は
【化２】
2019536860.tif 000002
であり、ｎは１から１００であり、Ｒ９、Ｒ１０、Ｒ１１、及びＲ１２は同一であり、若しくは異なり、独立して、水素、ハロ、アルキル、ヘテロアルキル、アミノ置換アルキル、アミノ置換ヘテロアルキル、アミドアルキル、アミドヘテロアルキル、アミノ置換アミドヘテロアルキルであり；またはＲ３は、
【化３】
2019536860.tif 000003
であり、式中、ｎ２及びｎ４は同一であり、若しくは異なり、独立して、１、２、若しくは３であり、ｎ３は１から２０であり；またはＲ３はアルキル、ヘテロアルキル、アミノ置換アルキル、アミノヘテロアルキル、及びアミドアルキルを含むポリマーであり；
ＸはＯ、ＮＲ１３、若しくはＳであり、Ｒ１３は水素若しくはアルキルであり；
Ｒ４はＸからＣへ配向され、アルキル、アルキルエーテル、及びアルキルチオエーテルであり、アルキル、アルキルエーテル、及びアルキルチオエーテルのそれぞれは任意選択でヒドロキシル、チオール、アミノ、若しくはハロと置換され；
Ｒ５、Ｒ６、及びＲ７は同一であり、若しくは異なり、独立して、水素、アルキル、シリル、若しくはシロキシであり；ならびに
Ｒ５、Ｒ６、若しくはＲ７のうちの少なくとも１つは任意選択で固相をさらに含む、
前記分子またはその塩。
【請求項２】
固相を含む、請求項１に記載の分子またはその塩。
【請求項３】
前記固相は、シリコン原子を含む、請求項２に記載の分子またはその塩。
【請求項４】
以下の構造を有する分子またはその塩であって、
【化４】
2019536860.tif 000004
式中、Ｒ１及びＲ２は同一であり、若しくは異なり、独立して、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ８であり、Ｒ８はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは環を形成し；または、Ｒ１若しくはＲ２のうちの少なくとも１つはヌクレオシド、ヌクレオチド、ポリヌクレオチド、ペプチド、ペプトイド、サッカライド、ポリサッカライド、アプタマー若しくは抗体、若しくはそのフラグメントを含み；
ＮＲ１Ｒ２からＮＨに配向されるＲ３はアルキル、ヘテロアルキル、アミノ置換アルキル、アミノ置換ヘテロアルキル、アミドアルキル、アミドヘテロアルキル、アミノ置換アミドヘテロアルキルであり、アルキル、ヘテロアルキル、アミノ置換アルキル、アミノ置換ヘテロアルキル、アミドアルキル、アミドヘテロアルキル、若しくはアミノ置換アミドヘテロアルキルとそれぞれ任意選択で置換され；またはＲ３は−（ＣＲ７Ｒ８ＣＲ９Ｒ１０）ｎ−であり、ｎは１から１００であり、Ｒ７、Ｒ８、Ｒ９、及びＲ１０は同一であり、若しくは異なり、水素、ハロ、アルキル、ヘテロアルキル、アミノ置換アルキル、アミノ置換ヘテロアルキル、アミドアルキル、アミドヘテロアルキル、アミノ置換アミドヘテロアルキルであり；またはＲ３は、
【化５】
2019536860.tif 000005
であり、
式中、ｎ２及びｎ４は同一であり、若しくは異なり、独立して、１、２、若しくは３であり、ｎ３は１から２０であり；またはＲ３はアルキル、ヘテロアルキル、アミノ置換アルキル、アミノ置換ヘテロアルキル、アミドアルキル、及びアミノ置換アミドアルキル、アミドヘテロアルキル、若しくはアミノ置換アミドヘテロアルキルを含むポリマー若しくはデンドリマーであり；
Ｒ４、Ｒ５、及びＲ６は同一であり、若しくは異なり、独立して、水素、アルキル、シリル、若しくはシロキシであり；
（＊）は炭素中心であり、前記炭素中心はＲ−立体配置若しくはＳ−立体配置にあり；ならびに
Ｒ４、Ｒ５、若しくはＲ６のうちの少なくとも１つは任意選択で固相をさらに含む、前記分子またはその塩。
【請求項５】
前記炭素中心は、Ｒ−立体配置にある、請求項４に記載の分子またはその塩。
【請求項６】
前記炭素中心は、Ｓ−立体配置にある、請求項４に記載の分子またはその塩。
【請求項７】
前記固相を含む、請求項４に記載の分子またはその塩。
【請求項８】
前記固相は、シリコン原子を含む、請求項７に記載の分子または塩。
【請求項９】
Ｒ３は、アルキル、アミノヘテロアルキル、ポリアミドアミノアルキル、またはポリアミノアルキルである、請求項４に記載の分子または塩。
【請求項１０】
以下の構造を有する分子またはその塩であって、
【化６】
2019536860.tif 000006
【化７】
2019536860.tif 000007
【化８】
2019536860.tif 000008
または
【化９】
2019536860.tif 000009
式中、ｎ１＝１、２、３、４、５、６、若しくは７であり；
ｎ２及びｎ３は同一であり、若しくは異なり、独立して、約１から約１０００であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９、及びＲ２０は同一であり、若しくは異なり、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ２４であり、Ｒ２４はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは、Ｒ３及びＲ４、及びそれらが結合されるＮは、Ｒ５及びＲ６、及びそれらが結合されるＮは、Ｒ７及びＲ８、及びそれらが結合されるＮは、Ｒ９及びＲ１０、及びそれらが結合されるＮは、Ｒ１１及びＲ１２、及びそれらが結合されるＮは、Ｒ１３及びＲ１４、及びそれらが結合されるＮは、Ｒ１５及びＲ１６、及びそれらが結合されるＮは、Ｒ１７及びＲ１８、及びそれらが結合されるＮは、ならびにＲ１９及びＲ２０、及びそれらが結合されるＮは独立して任意選択で環を形成し；
Ｒ３、Ｒ４、及びＲ５は同一であり、若しくは異なり、独立して、水素、アルキル、シリル、若しくはシロキシであり；
（＊）、（＊＊）、及び（＊＊＊）は炭素中心であり、前記炭素中心はＲ−立体配置若しくはＳ−立体配置にあり、若しくはアキラル中心であることが可能であり；
（＊＊＊＊）は第二炭素中心であり、前記第二炭素中心はＲ−立体配置若しくはＳ−立体配置にあり；ならびに
Ｒ２１、Ｒ２２、若しくはＲ２３のうちの少なくとも１つは任意選択で固相をさらに含む、
前記分子またはその塩。
【請求項１１】
前記炭素中心は、Ｒ−立体配置にある、請求項１０に記載の分子。
【請求項１２】
前記炭素中心は、Ｓ−立体配置にある、請求項１０に記載の分子。
【請求項１３】
固相を含む、請求項１０に記載の分子または塩。
【請求項１４】
前記固相は、シリコン原子を含む、請求項１３に記載の分子または塩。
【請求項１５】
請求項１に記載の少なくとも２個の分子または塩類を含むアレイ。
【請求項１６】
前記アレイは、約１×１０１０基／ｃｍ２から約１×１０１４基／ｃｍ２の前記アミノ基の比重を有する、請求項１５に記載のアレイ。
【請求項１７】
前記分子または塩類は、立体濃縮される、またはラセミ体である、請求項１５に記載のアレイ。
【請求項１８】
前記分子または塩類は、少なくとも約１０％、２０％、３０％、４０％、５０％、６０％、７０％、８０％、８５％、９０％、９５％、９６％、９７％、９８％、９９％、または１００％の不斉収率を有する、請求項１５に記載のアレイ。
【請求項１９】
前記分子またはそれらの塩類の少なくともいくつかは、コーティングを形成し、前記コーティングは、約１オングストロームから約２５オングストロームの厚さを有する、請求項１５に記載のアレイ。
【請求項２０】
前記分子またはそれらの塩類は、架橋される、請求項１５に記載のアレイ。
【手続補正２】
【補正対象書類名】明細書
【補正対象項目名】０００２
【補正方法】変更
【補正の内容】
【０００２】
発明の概要
本明細書に開示されるのは、以下の構造を有する分子またはそれらの塩類であり、
【化１】
2019536860.tif 000010
式中、Ｒ１及びＲ２は同一であることが可能であり、若しくは異なることが可能であり、独立して、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ８であることが可能であり、Ｒ８はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは環を形成することが可能であり；または、Ｒ１若しくはＲ２のうちの少なくとも１つはヌクレオシド、ヌクレオチド、ポリヌクレオチド、ペプチド、ペプトイド、サッカライド、ポリサッカライド、アプタマー若しくは抗体、若しくはそのフラグメントを含むことが可能であり；
ＮからＸに配向されるＲ３はアルキル、ヘテロアルキル、アミノ置換アルキル、アミノ置換ヘテロアルキル、アミドアルキル、アミドヘテロアルキル、アミノ置換アミドヘテロアルキルであることが可能であり、アルキル、ヘテロアルキル、アミノ置換アルキル、アミノ置換ヘテロアルキル、アミドアルキル、アミドヘテロアルキル、若しくはアミノ置換アミドヘテロアルキルとそれぞれ任意選択で置換され；またはＲ３は−（ＣＲ９Ｒ１０ＣＲ１１Ｒ１２）ｎ−であることが可能であり、ｎは１から１００であることが可能であり、Ｒ９、Ｒ１０、Ｒ１１、及びＲ１２は同一であることが可能であり、若しくは異なることが可能であり、独立して、水素、ハロ、アルキル、ヘテロアルキル、アミノ置換アルキル、アミノ置換ヘテロアルキル、アミドアルキル、アミドヘテロアルキル、アミノ置換アミドヘテロアルキルであることが可能であり；またはＲ３は、
【化２】
2019536860.tif 000011
であることが可能であり、式中、ｎ２及びｎ４は同一であることが可能であり、若しくは異なることが可能であり、独立して、１、２、若しくは３であることが可能であり、ｎ３は１から２０であることが可能であり；またはＲ３はアルキル、ヘテロアルキル、アミノ置換アルキル、アミノヘテロアルキル、及びアミドアルキルを含むポリマーであることが可能であり；
ＸはＯ、ＮＲ１３、若しくはＳであることが可能であり、Ｒ１３は水素若しくはアルキルであり；
Ｒ４はＸからＣへ配向され、アルキル、アルキルエーテル、及びアルキルチオエーテルであることが可能であり、アルキル、アルキルエーテル、及びアルキルチオエーテルのそれぞれは任意選択でヒドロキシル、チオール、アミノ、若しくはハロと置換されることが可能であり；
Ｒ５、Ｒ６、及びＲ７は同一であることが可能であり、若しくは異なることが可能であり、独立して、水素、アルキル、シリル、若しくはシロキシであることが可能であり；ならびに
Ｒ５、Ｒ６、若しくはＲ７のうちの少なくとも１つは固相を任意選択でさらに含む。
【手続補正３】
【補正対象書類名】明細書
【補正対象項目名】０００４
【補正方法】変更
【補正の内容】
【０００４】
また本明細書に開示されるのは、以下の構造を有する分子またはそれらの塩類であり、
【化３】
2019536860.tif 000012
式中、Ｒ１及びＲ２は同一であることが可能であり、若しくは異なることが可能であり、独立して、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ８であることが可能であり、Ｒ８はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは環を形成することが可能であり；または、Ｒ１若しくはＲ２のうちの少なくとも１つはヌクレオシド、ヌクレオチド、ポリヌクレオチド、ペプチド、ペプトイド、サッカライド、ポリサッカライド、アプタマー若しくは抗体、若しくはそのフラグメントを含むことが可能であり；
ＮＲ１Ｒ２からＮＨに配向されるＲ３はアルキル、ヘテロアルキル、アミノ置換アルキル、アミノ置換ヘテロアルキル、アミドアルキル、アミドヘテロアルキル、アミノ置換アミドヘテロアルキルであることが可能であり、アルキル、ヘテロアルキル、アミノ置換アルキル、アミノ置換ヘテロアルキル、アミドアルキル、アミドヘテロアルキル、若しくはアミノ置換アミドヘテロアルキルとそれぞれ任意選択で置換され；またはＲ３は
【化４】
2019536860.tif 000013
であることが可能であり、ｎは１から１００であることが可能であり、Ｒ７、Ｒ８、Ｒ９、及びＲ１０は同一であることが可能であり、若しくは異なることが可能であり、水素、ハロ、アルキル、ヘテロアルキル、アミノ置換アルキル、アミノ置換ヘテロアルキル、アミドアルキル、アミドヘテロアルキル、アミノ置換アミドヘテロアルキルであることが可能であり；または、式中、Ｒ３は、
【化５】
2019536860.tif 000014
であることが可能であり、式中、ｎ２及びｎ４は同一であることが可能であり、若しくは異なることが可能であり、独立して、１、２、若しくは３であることが可能であり、ｎ３は１から２０であることが可能であり；またはＲ３はアルキル、ヘテロアルキル、アミノ置換アルキル、アミノ置換ヘテロアルキル、アミドアルキル、及びアミノ置換アミドアルキル、アミドヘテロアルキル、若しくはアミノ置換アミドヘテロアルキルを含むポリマー若しくはデンドリマーであることが可能であり；
Ｒ４、Ｒ５、及びＲ６は同一であることが可能であり、若しくは異なることが可能であり、独立して、水素、アルキル、シリル、若しくはシロキシであることが可能であり；
（＊）は炭素中心であり、当該炭素中心はＲ−立体配置若しくはＳ−立体配置にあることが可能であり；ならびに
Ｒ４、Ｒ５、若しくはＲ６のうちの少なくとも１つは任意選択で固相をさらに含む。
【手続補正４】
【補正対象書類名】明細書
【補正対象項目名】０００６
【補正方法】変更
【補正の内容】
【０００６】
また本明細書に開示されるのは、以下の構造、
【化６】
2019536860.tif 000015
【化７】
2019536860.tif 000016
【化８】
2019536860.tif 000017
または
【化９】
2019536860.tif 000018
を有する分子またはそれらの塩類であり、式中、
ｎ１＝１、２、３、４、５、６、若しくは７であることが可能であり；
ｎ２及びｎ３は同一であることが可能であり、若しくは異なることが可能であり、独立して、約１から約１０００であることが可能であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９、及びＲ２０は同一であることが可能であり、若しくは異なることが可能であり、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ２４であることが可能であり、Ｒ２４はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは、Ｒ３及びＲ４、及びそれらが結合されるＮは、Ｒ５及びＲ６、及びそれらが結合されるＮは、Ｒ７及びＲ８、及びそれらが結合されるＮは、Ｒ９及びＲ１０、及びそれらが結合されるＮは、Ｒ１１及びＲ１２、及びそれらが結合されるＮは、Ｒ１３及びＲ１４、及びそれらが結合されるＮは、Ｒ１５及びＲ１６、及びそれらが結合されるＮは、Ｒ１７及びＲ１８、及びそれらが結合されるＮは、ならびにＲ１９及びＲ２０、及びそれらが結合されるＮは環を独立して任意選択で形成し；
Ｒ３、Ｒ４、及びＲ５は同一であることが可能であり、若しくは異なることが可能であり、独立して、水素、アルキル、シリル、若しくはシロキシであり；
（＊）、（＊＊）、及び（＊＊＊）は炭素中心であり、当該炭素中心は、独立してＲ−立体配置若しくはＳ−立体配置にあることが可能である、若しくはアキラル中心であることが可能であり；
（＊＊＊＊）は第二炭素中心であり、当該第二炭素中心はＲ−立体配置若しくはＳ−立体配置にあることが可能であり；ならびに
Ｒ２１、Ｒ２２、若しくはＲ２３のうちの少なくとも１つは任意選択で固相をさらに含む。
【手続補正５】
【補正対象書類名】明細書
【補正対象項目名】００１１
【補正方法】変更
【補正の内容】
【００１１】
本発明の態様をさらに記載する：
［項１］
以下の構造を有する分子またはその塩であって、
【化１０】
2019536860.tif 000019
式中、Ｒ１及びＲ２は同一であり、若しくは異なり、独立して、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ８であり、Ｒ８はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは環を形成し；またはＲ１若しくはＲ２のうちの少なくとも１つはヌクレオシド、ヌクレオチド、ポリヌクレオチド、ペプチド、ペプトイド、サッカライド、ポリサッカライド、アプタマー若しくは抗体、若しくはそのフラグメントを含み；
ＮからＸに配向されるＲ３はアルキル、ヘテロアルキル、アミノ置換アルキル、アミノ置換ヘテロアルキル、アミドアルキル、アミドヘテロアルキル、アミノ置換アミドヘテロアルキルであり、アルキル、ヘテロアルキル、アミノ置換アルキル、アミノ置換ヘテロアルキル、アミドアルキル、アミドヘテロアルキル、若しくはアミノ置換アミドヘテロアルキルとそれぞれ任意選択で置換され；またはＲ３は
【化１１】
2019536860.tif 000020
であり、ｎは１から１００であり、Ｒ９、Ｒ１０、Ｒ１１、及びＲ１２は同一であり、若しくは異なり、独立して、水素、ハロ、アルキル、ヘテロアルキル、アミノ置換アルキル、アミノ置換ヘテロアルキル、アミドアルキル、アミドヘテロアルキル、アミノ置換アミドヘテロアルキルであり；またはＲ３は、
【化１２】
2019536860.tif 000021
であり、式中、ｎ２及びｎ４は同一であり、若しくは異なり、独立して、１、２、若しくは３であり、ｎ３は１から２０であり；またはＲ３はアルキル、ヘテロアルキル、アミノ置換アルキル、アミノヘテロアルキル、及びアミドアルキルを含むポリマーであり；
ＸはＯ、ＮＲ１３、若しくはＳであり、Ｒ１３は水素若しくはアルキルであり；
Ｒ４はＸからＣへ配向され、アルキル、アルキルエーテル、及びアルキルチオエーテルであり、アルキル、アルキルエーテル、及びアルキルチオエーテルのそれぞれは任意選択でヒドロキシル、チオール、アミノ、若しくはハロと置換され；
Ｒ５、Ｒ６、及びＲ７は同一であり、若しくは異なり、独立して、水素、アルキル、シリル、若しくはシロキシであり；ならびに
Ｒ５、Ｒ６、若しくはＲ７のうちの少なくとも１つは任意選択で固相をさらに含む、
前記分子またはその塩。
［項２］
固相を含む、上記項１に記載の分子またはその塩。
［項３］
前記固相は、シリコン原子を含む、上記項２に記載の分子またはその塩。
［項４］
以下の構造を有する分子またはその塩であって、
【化１３】
2019536860.tif 000022
式中、Ｒ１及びＲ２は同一であり、若しくは異なり、独立して、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ８であり、Ｒ８はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは環を形成し；または、Ｒ１若しくはＲ２のうちの少なくとも１つはヌクレオシド、ヌクレオチド、ポリヌクレオチド、ペプチド、ペプトイド、サッカライド、ポリサッカライド、アプタマー若しくは抗体、若しくはそのフラグメントを含み；
ＮＲ１Ｒ２からＮＨに配向されるＲ３はアルキル、ヘテロアルキル、アミノ置換アルキル、アミノ置換ヘテロアルキル、アミドアルキル、アミドヘテロアルキル、アミノ置換アミドヘテロアルキルであり、アルキル、ヘテロアルキル、アミノ置換アルキル、アミノ置換ヘテロアルキル、アミドアルキル、アミドヘテロアルキル、若しくはアミノ置換アミドヘテロアルキルとそれぞれ任意選択で置換され；またはＲ３は−（ＣＲ７Ｒ８ＣＲ９Ｒ１０）ｎ−であり、ｎは１から１００であり、Ｒ７、Ｒ８、Ｒ９、及びＲ１０は同一であり、若しくは異なり、水素、ハロ、アルキル、ヘテロアルキル、アミノ置換アルキル、アミノ置換ヘテロアルキル、アミドアルキル、アミドヘテロアルキル、アミノ置換アミドヘテロアルキルであり；またはＲ３は、
【化１４】
2019536860.tif 000023
であり、
式中、ｎ２及びｎ４は同一であり、若しくは異なり、独立して、１、２、若しくは３であり、ｎ３は１から２０であり；またはＲ３はアルキル、ヘテロアルキル、アミノ置換アルキル、アミノ置換ヘテロアルキル、アミドアルキル、及びアミノ置換アミドアルキル、アミドヘテロアルキル、若しくはアミノ置換アミドヘテロアルキルを含むポリマー若しくはデンドリマーであり；
Ｒ４、Ｒ５、及びＲ６は同一であり、若しくは異なり、独立して、水素、アルキル、シリル、若しくはシロキシであり；
（＊）は炭素中心であり、前記炭素中心はＲ−立体配置若しくはＳ−立体配置にあり；ならびに
Ｒ４、Ｒ５、若しくはＲ６のうちの少なくとも１つは任意選択で固相をさらに含む、前記分子またはその塩。
［項５］
前記炭素中心は、Ｒ−立体配置にある、上記項４に記載の分子またはその塩。
［項６］
前記炭素中心は、Ｓ−立体配置にある、上記項４に記載の分子またはその塩。
［項７］
前記固相を含む、上記項４から６のいずれか１項に記載の分子またはその塩。
［項８］
前記固相は、シリコン原子を含む、上記項７に記載の分子または塩。
［項９］
Ｒ３は、アルキル、アミノヘテロアルキル、ポリアミドアミノアルキル、またはポリアミノアルキルである、上記項４から８のいずれか１項に記載の分子または塩。
［項１０］
以下の構造を有する分子またはその塩であって、
【化１５】
2019536860.tif 000024
【化１６】
2019536860.tif 000025
【化１７】
2019536860.tif 000026
または
【化１８】
2019536860.tif 000027
式中、ｎ１＝１、２、３、４、５、６、若しくは７であり；
ｎ２及びｎ３は同一であり、若しくは異なり、独立して、約１から約１０００であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９、及びＲ２０は同一であり、若しくは異なり、水素、アルキル、アルケニル、アリール、ヘテロアリール、アルキニル、アリールアルキル、アリールアルケニル、ハロアルキル、シクロアルキル、スルホンアミジル、アシル、若しくは−ＣＯ２Ｒ２４であり、Ｒ２４はアルキル、アルケニル、アリール、アリールアルキル、アリールアルケニル、ハロアルキル、シクロアルキル、シクロアルキルアルキル、若しくはアリールシクロアルキルアルキルであり；またはＲ１及びＲ２、及びそれらが結合されるＮは、Ｒ３及びＲ４、及びそれらが結合されるＮは、Ｒ５及びＲ６、及びそれらが結合されるＮは、Ｒ７及びＲ８、及びそれらが結合されるＮは、Ｒ９及びＲ１０、及びそれらが結合されるＮは、Ｒ１１及びＲ１２、及びそれらが結合されるＮは、Ｒ１３及びＲ１４、及びそれらが結合されるＮは、Ｒ１５及びＲ１６、及びそれらが結合されるＮは、Ｒ１７及びＲ１８、及びそれらが結合されるＮは、ならびにＲ１９及びＲ２０、及びそれらが結合されるＮは独立して任意選択で環を形成し；
Ｒ３、Ｒ４、及びＲ５は同一であり、若しくは異なり、独立して、水素、アルキル、シリル、若しくはシロキシであり；
（＊）、（＊＊）、及び（＊＊＊）は炭素中心であり、前記炭素中心はＲ−立体配置若しくはＳ−立体配置にあり、若しくはアキラル中心であることが可能であり；
（＊＊＊＊）は第二炭素中心であり、前記第二炭素中心はＲ−立体配置若しくはＳ−立体配置にあり；ならびに
Ｒ２１、Ｒ２２、若しくはＲ２３のうちの少なくとも１つは任意選択で固相をさらに含む、
前記分子またはその塩。
［項１１］
前記炭素中心は、Ｒ−立体配置にある、上記項１０に記載の分子。
［項１２］
前記炭素中心は、Ｓ−立体配置にある、上記項１０に記載の分子。
［項１３］
固相を含む、上記項１０から１２のいずれか１項に記載の分子または塩。
［項１４］
前記固相は、シリコン原子を含む、上記項１３に記載の分子または塩。
［項１５］
上記項１から１４のいずれか１項に記載の分子または塩を合成する方法であって、
ａ．固体基質と第一分子との間に酸素−シリコン共有結合を形成することであって、
ｉ．第一末端に前記シリコン、及び第二末端にエポキシド、イソシアネート、またはチオイソシアネート、
を含む、前記酸素−シリコン共有結合を形成すること、
ｂ．前記エポキシド、イソシアネート、またはチオイソシアネートの炭素原子と、アミノ基を含む第二分子との間にＹ−炭素共有結合を形成すること、
を備え、
Ｙは窒素、酸素、硫黄、またはセレンであり、
前記エポキシド、イソシアネート、またはイソチオシアネート及び前記シリコンはアルキル、アルキルエーテル、またはアルキルチオエーテルを含む基により結合され、アルキル、アルキルエーテル、またはアルキルチオエーテルのそれぞれはヒドロキシル、チオール、アミノ、またはハロと任意選択で置換される、
前記方法。
［項１６］
前記第二分子は、アルキルアミン、ヘテロアルキルアミン、アミノ置換アルキルアミン、アミノ置換ヘテロアルキルアミン、アミドアルキルアミン、アミドヘテロアルキルアミン、アミノ置換アミドヘテロアルキルアミンであり、アルキル、ヘテロアルキル、アミノ置換アルキル、アミノ置換ヘテロアルキル、アミドアルキル、アミドヘテロアルキル、またはアミノ置換アミドヘテロアルキルとそれぞれ任意選択で置換される、上記項１５に記載の方法。
［項１７］
前記酸素−シリコン結合を形成することは、堆積反応を含む、上記項１５または１６に記載の方法。
［項１８］
前記堆積反応は、気相において実施される、上記項１７に記載の方法。
［項１９］
前記堆積反応は、化学蒸着反応を含む、上記項１８に記載の方法。
［項２０］
前記化学蒸着反応は、昇温した温度で起こる、上記項１９に記載の方法。
［項２１］
前記昇温した温度は、少なくとも約１００℃、１１０℃、１２０℃、１３０℃、１４０℃、または１５０℃である、上記項２０に記載の方法。
［項２２］
ステップｂは、希釈液の使用をさらに備える、上記項１５から２１のいずれか１項に記載の方法。
［項２３］
前記希釈液は、アルコールである、上記項２２に記載の方法。
［項２４］
前記アルコールは、イソプロピルアルコールである、上記項２３に記載の方法。
［項２５］
前記第一分子は、３−グリシドキシプロピルトリメトキシシラン（ＧＰＴＭＳ）である、上記項１５または２４のいずれか１項に記載の方法。
［項２６］
前記第二分子は、エチレンジアミン（ＥＤＡ）、（エチレンジオキシ）ビス（エチルアミン）（ＥＤＢＡ）、トリス（２−アミノエチル）アミン（ＴＡＥＡ）、ポリアミドアミン（ＰＡＭＡＭ）、またはポリアリルアミン（ＰＡＡｍ）である、上記項１５から２５のいずれか１項に記載の方法。
［項２７］
前記第二分子は、ＰＡＡｍである、上記項２６に記載の方法。
［項２８］
前記ＰＡＡｍは、約１ＫＤａから約１００ＫＤａの平均分子量を有する、上記項２７に記載の方法。
［項２９］
前記第二分子は、約１００℃から３００℃の沸点を有する、上記項１５から２８のいずれか１項に記載の方法。
［項３０］
前記アミノ基を保護アミノ酸またはその塩にカップリングすることをさらに備える、上記項１５から２９のいずれか１項に記載の方法。
［項３１］
前記保護アミノ酸は、ｔｅｒｔ−ブチルカルバメート（Ｂｏｃ）−、または９−フルオレニルメチルカルバメート（Ｆｍｏｃ）−保護アミノ酸である、上記項３０に記載の方法。
［項３２］
前記アミノ酸は、グリシンである、上記項３０または３１に記載の方法。
［項３３］
上記項１から１４のいずれか１項に記載の２個以上の分子または塩類を含むアミノコーティング。
［項３４］
上記項３３に記載のアミノコーティングのアミノ基比重を調整する方法。
［項３５］
上記項１から１４のいずれか１項に記載の少なくとも２個の分子または塩類を含むアレイ。
［項３６］
前記アレイは、約１×１０１０基／ｃｍ２から約１×１０１４基／ｃｍ２の前記アミノ基の比重を有する、上記項３５に記載のアレイ。
［項３７］
前記分子または塩類は、立体濃縮される、またはラセミ体である、上記項３５または３６に記載のアレイ。
［項３８］
前記分子または塩類は、少なくとも約１０％、２０％、３０％、４０％、５０％、６０％、７０％、８０％、８５％、９０％、９５％、９６％、９７％、９８％、９９％、または１００％の不斉収率を有する、上記項３５から３７のいずれか１項に記載のアレイ。
［項３９］
前記分子またはそれらの塩類の少なくともいくつかは、コーティングを形成し、前記コーティングは、約１オングストロームから約２５オングストロームの厚さを有する、上記項３５から３８のいずれか１項に記載のアレイ。
［項４０］
前記分子またはそれらの塩類は、架橋される、上記項３５から３９のいずれか１項に記載のアレイ。
［項４１］
使用のための説明書をさらに有する、上記項３５から４０のいずれか１項に記載のアレイ。
［項４２］
上記項１から１４のいずれか１項に記載の分子または塩を基質と会合させることを備える、アレイを作製する方法。
［項４３］
上記項２０から３２のいずれか１項に記載の方法を備える、アレイを作製する方法。
［項４４］
前記アレイは、約１×１０１０基／ｃｍ２から約１×１０１４基／ｃｍ２の前記アミノ基の比重を有する、上記項４２または４３に記載の方法。
［項４５］
前記アミノ基の前記比重を前記アレイ上で調整することを備える、上記項４２から４４のいずれか１項に記載の方法。
［項４６］
上記項１から１４のいずれか１項に記載の分子または塩、及び使用のための説明書を有する、キット。
［項４７］
上記項３５から４１のいずれか１項に記載のアレイ、及び使用のための説明書を有する、前記キット。
［項４８］
結合部分をさらに含む、上記項４６または４７に記載のキット。
［項４９］
前記結合部分は、抗体を含む、上記項４８に記載のキット。
［項５０］
前記結合部分は、シグナルを発する、上記項４８または４９に記載のキット。
［項５１］
上記項１から１４のいずれか１項に記載の分子または塩によってキットを形成することを備える、前記キットを作製する方法。
［項５２］
上記項１５から３２のいずれか１項に記載のプロセスによって作製される分子またはその塩。
［項５３］
上記項４２から４５のいずれか１項に記載のプロセスによって作製されるアレイ。
参照による援用
本明細書におけるすべての刊行物、特許、及び特許出願は、参照によりそれらの全体が援用される。本明細書における用語と、援用された参照における用語との間に抵触がある場合には、本明細書における用語を優先する。
【手続補正６】
【補正対象書類名】明細書
【補正対象項目名】００３５
【補正方法】変更
【補正の内容】
【００３５】
別段に示されない限り、本明細書に定義されるような、それ自体によって、または別の基の部分として、本明細書に用いられる用語としての「アシル」は、カルボニル
【化１９】
2019536860.tif 000028
基に連結される有機ラジカルを指すことが可能である。アシル基の例は、アルカノイル、アルケノイル、アロイル、アラルカノイル（ａｒａｌｋａｎｏｙｌ）、ヘテロアロイル、シクロアルカノイル、シクロヘテロアルカノイル及び同様のものなどの、カルボニルに付着するＲ基のいずれかを含む。